(57)【要約】【課題】呼制御サーバとＶｏＩＰ‐ＧＷ間の通信ができない場合にもＰＳＴＮ網からの着信を呼制御サーバを介さずにＶｏＩＰ端末に接続することを可能とする。【解決手段】ＰＳＴＮ網と接続され、呼制御サーバとＶｏＩＰ端末が含まれるＩＰネットワーク上の音声通信を変換するＶｏＩＰ‐ＧＷ装置であって、呼制御サーバの健全性を判定する機能１２３と、接続先のアドレス情報を動的に記録保持するダイレクト接続着信番号変換テーブル１２２と、制御サーバを介したＶｏＩＰ端末への着信が成功した場合に当該ＶｏＩＰ端末からの応答に含まれるダイヤルイン番号と内線番号およびＩＰアドレスをダイレクト接続着信番号変換テーブルに作成・更新する機能１２５とを備え、呼制御サーバが健全か否かによって着信情報（着信番号）の変換を可能とする。【選択図】図１
2008306375.tif 000002
【特許請求の範囲】
【請求項１】
呼制御サーバとＶｏＩＰ端末装置が接続されたＩＰ網と、回線交換網とを接続するＶｏＩＰ−ＧＷ（Ｖｏｉｃｅ  Ｏｖｅｒ  ＩｎｔｅｒｎｅｔＰｒｏｔｏｃｏｌ  Ｇａｔｅ  Ｗａｙ）装置であって、
前記呼制御サーバの健全性を判定する手段と、
前記判定手段が呼制御サーバを健全と判定した場合、前記回線交換網からの着信呼を呼制御サーバ宛に送信し、前記判定手段が呼制御サーバを障害と判定した場合、前記回線交換網からの着信呼を該当するＶｏＩＰ端末宛に送信する手段と、
前記呼制御サーバが障害の場合、前記ＶｏＩＰ端末に送信する際に、前記回線交換網からの着信番号を所定の番号に変換する手段と、
前記ＶｏＩＰ端末から前記回線交換網への発信があった場合、当該発信元のＩＰアドレスに応じて、着信番号を所定の番号に変換する手段と、
を備えたことを特徴とするＶｏＩＰ‐ＧＷ装置。
【発明の詳細な説明】
【技術分野】
【０００１】
本発明は、サーバ障害やネットワーク障害による通信不可を可能な限り回避するためのＶｏｉｃｅ  ｏｖｅｒ  Ｉｎｔｅｒｎｅｔ  Ｐｒｏｔｏｃｏｌ−ｇａｔｅｗａｙ（以下ＶｏＩＰ−ＧＷという）装置の番号変換方式に関する。本願発明のゲートウェイ（ＧＷ）とは、ネットワークにおいて、異なる媒体や通信プロトコルを使用するネットワーク間の通信を可能にするために使われる通信装置であり、ルータ、通信アダプタ等、通信媒体や伝送方式の違いを吸収して異機種間の接続を可能とするものを含む。
【背景技術】
【０００２】
ＩＰネットワーク内で使用されるＶｏＩＰ−ＧＷでは、呼制御サーバをネットワーク内に設置し、着信情報（着信番号）を元に、アドレス情報の解決をサーバが行いＶｏＩＰ−ＧＷではその情報に従った接続を行うか、呼制御サーバの障害又は、呼制御サーバを設置せずＶｏＩＰ−ＧＷ内に静的なアドレス情報変換テーブルを設定しその情報に従って接続を行う方法が一般的であった。
【０００３】
尚、呼制御サーバの通信プロトコル自体は、ＲＦＣ３２６１、ＲＦＣ３２６４などにて規格化されたＳＩＰが使用されることが多い。
【特許文献１】特開２００５−９４７１５号公報
【発明の開示】
【発明が解決しようとする課題】
【０００４】
以下、図１０を用いて、従来の呼制御サーバとＶｏＩＰ−ＧＷとＶｏＩＰ端末とを備えたＩＰネットワーク（例えばプライベート音声ネットワーク（内線電話網））における呼制御の手順を説明する。
【０００５】
以下は、公衆交換電話網（回線交換網）であるＰｕｂｌｉｃ  Ｓｗｉｔｃｈｅｄ  Ｔｅｌｅｐｈｏｎｅ  Ｎｅｔｗｏｒｋ（以下ＰＳＴＮという）網からＶｏＩＰ端末へのダイヤルイン着信があった場合の動作説明である。まず、ＶｏＩＰ−ＧＷ１のＩＰネットワーク上のＩＰアドレスは、“ＧＷ１”であり、呼制御サーバ３のＩＰアドレスは“呼制御サーバ”であり、ＶｏＩＰ端末５には、ＩＰアドレス“ＶｏＩＰ端末１”、内線番号“５０”が対応付けて設定されている。また、ＶｏＩＰ端末５のそれぞれには、ダイヤルイン番号を対応させＶｏＩＰ端末に対してダイヤルイン着信を可能なようにしている。
【０００６】
図１０に示すように、ＶｏＩＰ−ＧＷ１を介してＰＳＴＮ７に接続されるＩＰネットワーク（ＬＡＮ又はＷＡＮ等）は、複数のＶｏＩＰ端末５と、呼制御サーバ３とを収容している。以下に示す例では、呼制御サーバ３には、ＩＰネットワーク内にある複数のＶｏＩＰ端末５の、それぞれのダイヤルイン番号と内線番号とＩＰアドレス（送信先）を対応して記憶したアドレス情報管理テーブル３１ａと、ＶｏＩＰ端末５からＰＳＴＮ７への発信時に受信するダイヤル番号（相手先の電話番号等）と、該ダイヤル番号をＶｏＩＰ−ＧＷ１経由でＰＳＴＮ７へ送出される番号である変換番号と、該変換番号の送出先であるＶｏＩＰ−ＧＷ１のＩＰアドレス（送信先）とを対応づけて記憶したアドレス情報管理テーブル３１ｂとを備えている。
【０００７】
ＩＰネットワーク内での通知・要求やデータの移動は、例えば、ＩＰアドレスを用いたＩＰパケットによって行われる。呼制御時には、送信元のＩＰアドレス、送信先（宛先）のＩＰアドレス、ダイヤルイン番号（又はダイヤル番号又は変換番号）および内線番号とが格納される。（アドレス情報管理テーブル３１ａ及び３１ｂを以下アドレス情報管理テーブル３１という。）
【０００８】
ＶｏＩＰ‐ＧＷ１は、自己のＩＰアドレス“ＧＷ１”を呼制御サーバ３へ送信し、アドレス情報管理テーブル３１への登録を要求（ＲＥＧＩＳＴＥＲ）する（Ｓ５１）。呼制御サーバ３は、ＶｏＩＰ‐ＧＷ１のＩＰアドレスをアドレス情報管理テーブル３１に登録してから登録終了（２００ＯＫ）をＶｏＩＰ‐ＧＷ１へ通知する（Ｓ５２）。同様にＶｏＩＰ端末５は、自己のダイヤルイン番号“０ＡＢ．．Ｊ”と内線番号“５０”とＩＰアドレス“ＶｏＩＰ端末１”を呼制御サーバ３へ送信し、アドレス情報管理テーブル３１への登録を要求（ＲＥＧＩＳＴＥＲ）する（Ｓ５３）。呼制御サーバ３は、ＶｏＩＰ端末５のダイヤルイン番号と内線番号とＩＰアドレスをアドレス情報管理テーブル３１に登録してから登録終了（２００ＯＫ）をＶｏＩＰ端末５へ通知する（Ｓ５４）。
【０００９】
この時点で、呼制御サーバ３のアドレス情報管理テーブル３１には、ＶｏＩＰ‐ＧＷ１とＶｏＩＰ端末５のダイヤルイン番号と内線番号とＩＰアドレスがそれぞれ登録される。
【００１０】
ＰＳＴＮ７からＶｏＩＰ‐ＧＷ１に、ＶｏＩＰ端末５に対する着信（ダイヤルイン番号：“０ＡＢ．．Ｊ”）がある（Ｓ５５）と、ＶｏＩＰ‐ＧＷ１は、ダイヤルイン番号“０ＡＢ．．Ｊ”への着信を呼制御サーバ３のＩＰアドレス“呼制御サーバ”に通知する（Ｓ５６）。
【００１１】
呼制御サーバ３は、ＶｏＩＰ‐ＧＷ１からの“０ＡＢ．．Ｊ”への着信の通知を受けると、アドレス情報管理テーブル３１を参照して“０ＡＢ．．Ｊ”への着信を内線番号“５０”への着信に変換して（着信情報の変換：Ｓ５７）、ＶｏＩＰ端末５のＩＰアドレス“ＶｏＩＰ端末”に通知する（Ｓ５８）。この時、発信者の電話番号はそのままＶｏＩＰ端末５に通知される。
【００１２】
着信の通知を受けたＶｏＩＰ端末５は、応答信号を呼制御サーバ３のＩＰアドレス“呼制御サーバ”に通知する（Ｓ５９）。呼制御サーバ３は応答信号をＶｏＩＰ‐ＧＷ１のＩＰアドレス“ＧＷ１”に送信する（Ｓ６０）。ＶｏＩＰ‐ＧＷ１は、応答信号をＰＳＴＮ７へ送出する（Ｓ６１）。以下、呼接続制御の処理がなされ通話が可能となる。
【００１３】
次に、ＶｏＩＰ端末５からＰＳＴＮ７へ発信する場合には、ＶｏＩＰ端末５は、相手の電話番号“０ＹＹＹＹ”に外線発信特番“０”を先頭に付した番号“０‐０ＹＹＹＹ”を呼制御サーバ３のＩＰアドレス“呼制御サーバ”に通知する（Ｓ６２）。
【００１４】
呼制御サーバ３は、外線発信特番“０”が付与されていることを認識すると、アドレス情報管理テーブル３１を参照し、外線発信特番“０”を削除した（発信情報の変換：Ｓ６３）相手の電話番号“０ＹＹＹＹ”をＶｏＩＰ‐ＧＷ１のＩＰアドレス“ＧＷ１”に通知する（Ｓ６４）。ＶｏＩＰ‐ＧＷ１は、相手電話番号“０ＹＹＹＹ”をＰＳＴＮ７に送出する（Ｓ６５）。この時、発信者（ＶｏＩＰ端末５）の内線番号“５０”は、ダイヤルイン番号“０ＡＢ．．Ｊ”に変換されて送出されている。
【００１５】
ＰＳＴＮ７から応答がある（Ｓ６６）と、ＶｏＩＰ‐ＧＷ１は、応答信号を呼制御サーバ３のＩＰアドレス“呼制御サーバ”に通知する（Ｓ６７）。呼制御サーバ３は、ＶｏＩＰ端末５のＩＰアドレス“ＶｏＩＰ端末”に対して応答信号を通知する（Ｓ６８）。以下、呼接続制御の処理がなされ通話が可能となる。
【００１６】
このように、従来の構成では、呼制御サーバ３のアドレス情報管理テーブル３１にＩＰネットワーク内に含まれる全ての機器のアドレス情報が設定されているので、ＶｏＩＰ‐ＧＷ１側ではアドレス情報を設定する必要は無く、呼制御サーバ３との通信ができれば、全てのＶｏＩＰ端末５との接続が可能となる。このとき、ＰＳＴＮ７側からの着信では呼制御サーバ３が着信情報の変換（ダイヤルイン番号→内線番号）を行い、ＩＰネットワーク内の電話番号に変換して接続する。また、ＩＰネットワークからの発信では呼制御サーバ３がＰＳＴＮ７への外線発信特番“０”を削除してＶｏＩＰ‐ＧＷ１に発信する。
【００１７】
上述のようなシステムにおいて、呼制御サーバ３との接続に障害が発生した場合の従来の着信と発信の手順を、図１１を用いて説明する。図１１は、ＶｏＩＰ‐ＧＷ１内に設定した静的（固定設定的）なアドレス情報１９（ダイヤルイン番号とＶｏＩＰ端末５のＩＰアドレスを対応付けて登録した情報）に従って接続する方法である。ＶｏＩＰ‐ＧＷ１と呼制御サーバ３との接続ができない場合であって、ＰＳＴＮ７側からのダイヤルイン着信があった場合、静的なアドレス情報１９に基づいて接続するが、着信情報（ダイヤルイン番号）のＩＰネットワーク内の内線番号への変換が行われないため、接続先装置（ＶｏＩＰ端末５）の仕様（内線番号での着信のみ可能等）によっては接続できない恐れがある。
【００１８】
また、ＩＰネットワークからの発信では呼制御サーバ３がいないため、内線であるＶｏＩＰ端末５が、ＶｏＩＰ‐ＧＷ１への静的（固定設定的）な情報を元にＰＳＴＮ７へ接続しようとしても、ＶｏＩＰ―ＧＷ１でＰＳＴＮ７への外線発信特番“０”を削除しないので、誤ダイヤルとなる恐れも生じる。
【００１９】
具体的に説明すると、ＩＰネットワーク内の呼制御サーバ３に障害が発生した状態で、ＶｏＩＰ‐ＧＷ１内にＩＰネットワーク内のＶｏＩＰ端末５のアドレス情報が静的なアドレス情報１９として設定されていると、ＰＳＴＮ７からダイヤルイン番号“０ＡＢ．．Ｊ”への着信がある（Ｓ７１）と、ＶｏＩＰ‐ＧＷ１は、呼制御サーバ３のＩＰアドレス“呼制御サーバ”へ“０ＡＢ．．Ｊ”への着信を通知し（Ｓ７２）、応答を待つ（Ｓ７３）。
【００２０】
所定の待ち時間が経過しても呼制御サーバ３からの応答を検出できないときに、ＶｏＩＰ‐ＧＷ１は、自己に設定された静的なアドレス情報１９に基づいて（Ｓ７４）、ＶｏＩＰ端末５のＩＰアドレス“ＶｏＩＰ端末１”へダイヤルイン着信“０ＡＢ．．Ｊ”への着信を通知する（Ｓ７５）。
【００２１】
そして、ＶｏＩＰ端末５は、受け取った通知に含まれる“０ＡＢ．．Ｊ”が自己の内線番号“５０”と異なるので、端末の仕様によっては接続することができず、否定応答をＶｏＩＰ‐ＧＷ１のＩＰアドレス“ＧＷ１”に通知する（Ｓ７６）。ＶｏＩＰ‐ＧＷ１は、ＰＳＴＮ７へ否定応答を送信する（Ｓ７７）。
【００２２】
また、ＶｏＩＰ端末５から発信先電話番号“０ＹＹＹＹ”に対して発信を要求する場合には、ＶｏＩＰ端末７から発信先電話番号“０ＹＹＹＹ”の先頭に外線発信特番“０”を付加した“０‐０ＹＹＹＹ”をＶｏＩＰ‐ＧＷ１のＩＰアドレス“ＧＷ１”に通知する（Ｓ８１）。
【００２３】
ＶｏＩＰ‐ＧＷ１は、発信に対する番号変換機能を持たないので、相手電話番号“０−０ＹＹＹＹ”をＰＳＴＮ７へ（外線発信特番“０”が付与されたままの）“０−０ＹＹＹＹ”を送信する（Ｓ８２）。ＰＳＴＮ７では“０”が付与された宛先を特定できずビジートーン（ＢＴ）を返信する（Ｓ８３）。そして、ＶｏＩＰ‐ＧＷ１も受信したＢＴを発信元のＶｏＩＰ端末５のＩＰアドレス“ＶｏＩＰ端末１”宛に通知する（Ｓ８４）。
【００２４】
このように、従来のシステムでは、呼制御サーバ３に障害が発生すると、静的なアドレス情報をＶｏＩＰ‐ＧＷ１に設定しても、着信を目的とするＶｏＩＰ端末５に接続できない場合が発生する。さらに、呼制御サーバ障害時に、ＶｏＩＰ端末５から外線へ発信しようとしても、正確に外線と接続することができない場合が生じる。
【００２５】
以上のように、呼制御サーバ３を設置した上記従来技術では、呼制御サーバの障害又はＩＰネットワークの障害などで、呼制御サーバとの通信ができない場合、この呼制御サーバ３に対応するＶｏＩＰ−ＧＷ１の通信は全て停止してしまう。
【００２６】
また、呼制御サーバ３の障害発生時に、ＶｏＩＰ−ＧＷ１内に設定した静的なアドレス情報１９に基づいて接続する方法でも、呼制御サーバ３が実施していた着信情報（着信番号）の変換が行われないため、正しく接続できない場合があった。
【００２７】
さらに、上記従来技術では、静的なアドレス情報のため、ネットワークの変更やアドレス情報の変更が発生するごとに、ＶｏＩＰ−ＧＷ１の設定変更が必要となってしまう問題があった。
【００２８】
本発明は、上記２つの課題を解決することを目的とする。すなわち、本発明の第１の目的は、ＰＳＴＮ７に接続されるＶｏＩＰ‐ＧＷ１と、呼制御サーバ３およびＶｏＩＰ端末５をＬＡＮなどのＩＰネットワークで接続したＩＰネットワークにおいて、呼制御サーバ３の障害発生やＩＰネットワークの障害発生などで呼制御サーバ３とＶｏＩＰ‐ＧＷ１またはＶｏＩＰ端末５との間の通信ができない場合に、ＰＳＴＮ７からの着信をＶｏＩＰ‐ＧＷ１でＩＰネットワーク内の着信情報に変換して対応する内線機器（ＶｏＩＰ端末５）に接続することを可能とし、かつ、ＶｏＩＰ端末５からの外線への発信を正確に外線に接続すること可能とするＶｏＩＰ‐ＧＷを提供することを目的とする。
【００２９】
さらに、本発明の第２の目的は、上記ＶｏＩＰ‐ＧＷ１に、ダイレクト接続着信番号変換テーブルを設け、ＩＰネットワーク内の機器のダイヤルイン着信番号と内線番号とＩＰアドレスを取得してダイレクト接続着信番号変換テーブルを動的に更新可能とし、ネットワークの変更やアドレス情報の変更の発生に対応することを目的とする。
【課題を解決するための手段】
【００３０】
上記課題を解決するために、本発明は、呼制御サーバとＶｏＩＰ端末装置が接続されたＩＰ網と、回線交換網とを接続するＶｏＩＰ−ＧＷ（Ｖｏｉｃｅ  Ｏｖｅｒ  ＩｎｔｅｒｎｅｔＰｒｏｔｏｃｏｌ  Ｇａｔｅ  Ｗａｙ）装置であって、前記呼制御サーバの健全性を判定する判定手段と、前記判定手段が呼制御サーバを健全と判定した場合、前記回線交換網からの着信呼を呼制御サーバ宛に送信し、前記判定手段が呼制御サーバを障害と判定した場合、前記回線交換網からの着信呼を該当するＶｏＩＰ端末宛に送信する手段と、前記呼制御サーバが障害の場合、前記ＶｏＩＰ端末に送信する際に、前記回線交換網からの着信番号を所定の番号に変換する手段と、前記ＶｏＩＰ端末から前記回線交換網への発信があった場合、当該発信元のＩＰアドレスに応じて、着信番号を所定の番号に変換する手段とを備えたことを特徴とする。
【発明の効果】
【００３１】
本発明によれば、ＩＰネットワーク内で呼制御サーバとの通信ができない状態でも、ＶｏＩＰ―ＧＷを介した外線との通話が可能となり音声通話の信頼性を向上させることができる。
【００３２】
また、本発明によれば、ＶｏＩＰ‐ＧＷ１内に設けたダイレクト接続着信番号変換テーブルを動的に管理することができ、ネットワークの変更やアドレス情報の変換に動的に対応することができる。
【発明を実施するための最良の形態】
【００３３】
図１を用いて、本発明にかかるＶｏＩＰ‐ＧＷ１の構成の概要を説明する。ＶｏＩＰ‐ＧＷ１は、ＰＳＴＮ側に対するＰＳＴＮ側呼制御部１１と、主制御部１２と、ＩＰネットワーク側（例えばＬＡＮ）に対するＩＰ側呼制御部１３を備えている。
【００３４】
主制御部１２は、呼制御サーバ経由での着信接続用としてのサーバ接続着信番号変換テーブル１２１と、ＶｏＩＰ端末にダイレクトに接続するダイレクト接続用のダイレクト接続着信番号変換テーブル１２２と、呼制御サーバの健全性を確認する呼制御サーバ健全性確認機能１２３と、ダイレクト接続時の発信先番号を変換するダイレクト接続発信先番号変換機能１２４と、ダイレクト接続着信番号変換テーブルを作成し更新するダイレクト接続着信番号変換テーブル作成・更新機能１２５を具備している。
【００３５】
図２を用いて、ＰＳＴＮ７からの着信時に呼制御サーバ３経由で接続する場合に参照するサーバ接続着信番号変換テーブル１２１の構成を説明する。サーバ接続着信番号変換テーブル１２１は、ダイヤルイン番号ごとに、ダイヤルイン番号に対応した着信番号の変更（変換）の有無と、着信を通知する機器のＩＰアドレス“呼制御サーバ”が記述されている。このテーブル１２１は、呼制御サーバ３が健全（故障等ではない）であるときや、呼制御サーバ３との通信路であるＬＡＮ上に障害等がない場合に用いるもので、ＰＳＴＮ７からの着信はＶｏＩＰ−ＧＷ１経由で呼制御サーバ３に通知される。
【００３６】
図３を用いて、呼制御サーバ３を経由しないダイレクト接続時に参照するダイレクト接続着信番号変換テーブル１２２の構成を説明する。ダイレクト接続着信番号変換テーブル１２２は、内線であるＶｏＩＰ端末ごとに、ダイヤルイン番号と、ダイヤルイン番号に対応した着信を通知する機器（ＶｏＩＰ端末）の内線番号と、このＶｏＩＰ端末のＩＰアドレスとのデータが記憶される。
【００３７】
さらに、このダイレクト接続着信番号変換テーブル１２２には、当該ＶｏＩＰ端末への着信の接続が成功した時間である複数回分の接続成功時間データと、当該データの有効または無効を記憶している。
【００３８】
図４を用いて、呼制御サーバ経由での外線発信時にサーバ接続発信先番号変換機能１２４が参照するサーバ接続発信先番号変換テーブルの構成を説明する。サーバ接続発信先番号変換テーブルは、発信者のダイヤルイン番号（内線番号でもよい）と、発信先の番号（呼制御サーバ３から受信した番号情報：着信番号）と、変換後の発信先の番号（発信先番号変換データ）が記述されている。ＶｏＩＰ−ＧＷ１により呼制御サーバ３が正常及び呼制御サーバ３との通信路が正常と認識した場合、呼制御サーバ３経由の発信時は発信先番号を変更する必要がないので、受信した情報を変換せずにそのままＰＳＴＮ７へ送出する。
【００３９】
図５を用いて、呼制御サーバを経由しないダイレクト接続発信時にダイレクト接続発信先番号変換機能１２４が参照するダイレクト接続発信先番号変換テーブルの構成を説明する。ダイレクト接続発信先番号変換テーブルは、発信者のダイヤルイン番号（内線番号でもよい）と、発信先の番号（呼制御サーバ３から受信した番号情報：着信番号）と、発信先番号変換データが記憶されている。ＶｏＩＰ−ＧＷ１により呼制御サーバ３が障害又は呼制御サーバ３との通信路に障害があると認識した場合、すなわち、ダイレクト接続発信時には、発信先番号の先頭にある外線発信特番“０”を削除した発信先番号変換データ（変換後の着信番号）がＰＳＴＮ７へ送出されるようになる。
【００４０】
図４のサーバ接続時発信時の発信先番号変換テーブルは、ＶｏＩＰ‐ＧＷ１の呼制御サーバ３の健全性を確認する呼制御サーバ健全性確認機能１２３が、呼制御サーバ３が健全であるとしたとき及び呼制御サーバ３との通信路が健全であるとしたときには、呼制御サーバ経由の発信者番号を変換せずにそのままＰＳＴＮ側呼制御部１１に送信する機能によって代替することができる。
【００４１】
図５のダイレクト接続発信時発信先番号変換テーブルは、ＶｏＩＰ‐ＧＷ１の呼制御サーバ３の健全性を確認する機能１２３が、呼制御サーバ３に障害があるとしたとき又は呼制御サーバ３との通信路に障害があるとしたときには、発信者番号の先頭の外線発信特番“０”を削除した発信番号をＰＳＴＮ側呼制御部１１に送信するダイレクト接続発信先番号変換機能１２４によって代替することができる。
【００４２】
図６を用いて、ＶｏＩＰ―ＧＷ１を経由したＩＰネットワーク内への着信時および外線発信時の接続の態様を説明する。本発明において、呼制御サーバ３およびＶｏＩＰ端末５の構成は、従来の装置構成と同様であり、ＶｏＩＰ‐ＧＷ１の構成が異なっている。そして、呼制御サーバ３が健全なときの接続処理は、図１０に示した接続態様とほぼ同じである。
【００４３】
図１０のステップＳ５５と同様に、ＰＳＴＮ７からダイヤルイン番号“０ＡＢ．．Ｊ”への着信があると（Ｓ１）、ＶｏＩＰーＧＷ１が定期的に実施している呼制御サーバ３に対してライフチェック（Ｓ２）の状態に応じて動作を行う。
【００４４】
ライフチェックとは、ネットワーク疎通や正常動作中かを確認したい装置に対してＩＰパケットメッセージを発行し、そのパケットメッセージが正しく届いて返答が行われるかを確認するためのテストである。
【００４５】
前記ライフチェックにて、呼制御サーバ３から応答を受けて（Ｓ３）、呼制御サーバ３が健全であると判断すると、サーバ接続着信番号変換テーブル１２１を参照して着信番号を変換せずに、ダイヤルイン番号“０ＡＢ．．Ｊ”を呼制御サーバ３に通知する（Ｓ４）。
【００４６】
呼制御サーバ３はアドレス情報管理テーブル３１を参照してダイヤルイン番号“０ＡＢ．．Ｊ”に対応するＶｏＩＰ端末５の内線番号“５０”の着信通知をＶｏＩＰ端末５のＩＰアドレス“ＶｏＩＰ端末１”へ通知する（Ｓ５）。
【００４７】
着信がはいったＶｏＩＰ端末５は呼び出し音を発生し話者を呼び出し、話者が応答すると自己のダイヤルイン番号“０ＡＢ．．Ｊ”と内線番号“５０”とＩＰアドレス“ＶｏＩＰ端末１”を含む応答を呼制御サーバ３ＩＰアドレスに通知する（Ｓ６）。
【００４８】
そして、呼制御サーバ３は、ＶｏＩＰ端末５からの応答をＶｏＩＰ‐ＧＷ１のＩＰアドレス“ＧＷ１”へ通知する（Ｓ７）。さらにＶｏＩＰ‐ＧＷ１は、応答をＰＳＴＮ７へ送信する（Ｓ８）。
【００４９】
ＶｏＩＰ‐ＧＷ１は、ステップＳ１およびステップＳ２の後、ライフチェック中所定時間呼制御サーバ３からの応答を待ち（Ｓ１０）、応答が無いときに呼制御サーバ３に関して障害が発生したと判断して、ダイレクト接続着信番号変換テーブル１２２を参照して、ダイヤルイン番号“０ＡＢ．．Ｊ”に対応する内線番号“５０”のＶｏＩＰ端末５のＩＰアドレス“ＶｏＩＰ端末１”へ、内線番号“５０”への着信を通知する（Ｓ１２：呼制御サーバが障害の場合、前記ＶｏＩＰ端末に送信する際に、前記回線交換網からの着信番号を所定の番号に変換）。
【００５０】
そして、ＶｏＩＰ端末５は呼び出し音を発生し話者を呼び出し、話者が応答すると自己のダイヤルイン番号“０ＡＢ．．Ｊ”と内線番号“５０”とＩＰアドレス“ＶｏＩＰ端末１”を含む応答をＶｏＩＰ‐ＧＷ１のＩＰアドレス“ＧＷ１”へ通知する（Ｓ１３）。さらにＶｏＩＰ‐ＧＷ１は、応答をＰＳＴＮ７へ送信する（Ｓ１４）。
【００５１】
このようにして、ＩＰネットワーク内の呼制御サーバ３に関して障害が発生したときには、ＶｏＩＰ‐ＧＷ１は、呼制御サーバ３を経由せずに、ＶｏＩＰ‐ＧＷ１とＶｏＩＰ端末５０を直接接続するダイレクト接続の態様として、ダイヤルイン番号“０ＡＢ．．Ｊ”を内線番号“５０”に変換してＶｏＩＰ端末５０のＩＰアドレス“ＶｏＩＰ端末１”に通知することにより、呼制御サーバ３に関して故障があるときにも、ダイヤルイン着信をＩＰネットワーク内のＶｏＩＰ端末装置に着信させることができる。
【００５２】
図７のフローチャートを用いて、本発明にかかるＶｏＩＰ‐ＧＷ１におけるＰＳＴＮ７からの着信時におけるＩＰネットワークへの発信の処理を説明する。
【００５３】
ＶｏＩＰ‐ＧＷ１は、ＰＳＴＮ７からの着信があると（Ｓ２１）、ダイヤルイン番号“０ＡＢ．．Ｊ”を抽出し、呼制御サーバ３のＩＰアドレス“呼制御サーバ”へ通知する（Ｓ２２）。ＶｏＩＰ‐ＧＷ１は、ライフチェックにより所定の時間内に呼制御サーバ３からの応答があるか否かを監視し、応答があったか否かを判断する（Ｓ２３）。
【００５４】
呼制御サーバ３からの応答があった（Ｓ２３：Ｙｅｓ）ときには、呼制御サーバ３は、アドレス情報管理テーブル３１を参照してダイヤルイン番号“０ＡＢ．．Ｊ”を内線番号“５０”に変換し（Ｓ２４）、ＩＰネットワークのＶｏＩＰ端末５のＩＰアドレス“ＶｏＩＰ端末１”に内線番号“５０”への着信を通知する（Ｓ２６）。
【００５５】
ステップＳ２３の判断で、呼制御サーバ３からの応答が所定時間内に無いときには、呼制御サーバに関して障害があると判断して（Ｓ２３：Ｎｏ）、ＶｏＩＰ‐ＧＷ１は、ダイレクト接続着信番号変換テーブル１２２を参照して、ダイヤルイン番号“０ＡＢ．．Ｊ”を内線番号“５０”に変換し（Ｓ２５）、ＩＰネットワークのＶｏＩＰ端末５のＩＰアドレス“ＶｏＩＰ端末１”に内線番号“５０”への着信を通知する（Ｓ２６）。
【００５６】
図８のフローチャートを用いて、本発明にかかるＶｏＩＰ‐ＧＷ１におけるＩＰネットワーク内のＶｏＩＰ端末からのＰＳＴＮ７への発信の処理を説明する。
【００５７】
ＩＰネットワーク内のＶｏＩＰ端末５から外線への発信を要求する着信が（Ｓ３１）あると、ＶｏＩＰ―ＧＷ１は、受信したＩＰパケットから相手電話番号“０−０ＹＹＹＹ”または“０ＹＹＹＹ”を抽出し（Ｓ３２）、ＩＰパケットの発信元のＩＰアドレスを見て、発信元が呼制御サーバ３であるか、ダイレクト接続のＶｏＩＰ端末５であるかを判定する（Ｓ３３）。
【００５８】
発信元のＩＰアドレスが“呼制御サーバ”で呼制御サーバ３からの発信であるとき（Ｓ３３：Ｙｅｓ）には、図４に示すサーバ経由接続発信時の発信先番号変換テーブルを参照して、発信者ダイヤルイン番号“０ＡＢ．．Ｊ”の発信先で番号変更が無いことを確認して、受信した発信先番号“０ＹＹＹＹ”をＰＳＴＮ７へ発信する（Ｓ３５）。
【００５９】
ステップＳ３３で、呼制御サーバ３からの発信でないときには（Ｓ３２：Ｎｏ）、ＶｏＩＰ‐ＧＷ１は、ダイレクト接続発信時の発信先番号変換テーブル１２４を参照して、発信先番号“０−０ＹＹＹＹ”の外線発信特番“０”を削除して（Ｓ３４：ＶｏＩＰ端末から前記回線交換網への発信があった場合、当該発信元のＩＰアドレスが呼制御サーバ３でないときに、着信番号を所定の番号に変換）、発信先番号“０ＹＹＹＹ”をＰＳＴＮ７へ発信する（Ｓ３５）。
【００６０】
このようにして、外線への発信時に、ＩＰネットワーク内の呼制御サーバ３に関連して通信に障害が発生した場合にも、ＶｏＩＰ‐ＧＷ１が、ＩＰネットワーク内のＶｏＩＰ端末５からの外線発信を正確にＰＳＴＮ７へ発信することができる。
【００６１】
上記は、発信元のＩＰアドレスにより受信した番号の変換／非変換を行ったが、ライフチェックにて、呼制御サーバ３から応答の可否を基に受信した番号の変換／非変換を行ってもよい。
【００６２】
上述のように、本発明において、ＶｏＩＰ‐ＧＷ１は、ダイレクト接続着信番号変換テーブル１２２を有しており、このテーブルは、自動的に更新され、常に新たなデータが記述され、所定の時間を経過したデータは無効とされる。以下、図９と図３を用いて、ダイレクト接続着信番号変換テーブル１２２を作成更新する手順を説明する。
【００６３】
ＶｏＩＰ‐ＧＷ１は、呼制御サーバ３と通信中に、接続が正常完了した接続相手先（着信先）の情報をＳＩＰメッセージ内から抽出し、着信先のダイヤルイン番号および内線番号ならびにＩＰアドレスを、接続成功時間と共に、記録・保持する。
【００６４】
すなわち、ＰＳＴＮ７からダイヤルイン番号“０ＡＢ．．Ｊ”に着信があると（Ｓ４１）、ＶｏＩＰ‐ＧＷ１は、呼制御サーバ３のＩＰアドレス宛にダイヤルイン番号“０ＡＢ．．Ｊ”への着信を通知する（Ｓ４２）。
【００６５】
呼制御サーバ３は、アドレス情報管理テーブル３１を参照してダイヤルイン番号“０ＡＢ．．Ｊ”を内線番号“５０”に変換し、着信をＶｏＩＰ端末５のＩＰアドレス“ＶｏＩＰ端末１”へ宛てて通知する（Ｓ４３）。
【００６６】
次に、ＶｏＩＰ端末５は呼び出し音を発生する（Ｓ４４）し、話者による応答があると、自己のダイヤルイン番号“０ＡＢ．．Ｊ”および内線番号“５０”ならびにＩＰアドレス“ＶｏＩＰ端末１”を搭載した応答を呼制御サーバ３のＩＰアドレス“呼制御サーバ”へ通知する（Ｓ４５）。呼制御サーバ３は、ＶｏＩＰ端末５からの応答をそのままＶｏＩＰ‐ＧＷ１のＩＰアドレスへ通知する（Ｓ４６）。
【００６７】
ＶｏＩＰ‐ＧＷ１は、肯定応答をＰＳＴＮ７へ送出する（Ｓ４７）とともに、内部に設けたダイレクト着信番号変換テーブル１２２に、当該ダイヤルイン番号“０ＡＢ．．Ｊ”と内線番号“５０”と、ＩＰアドレス“ＶｏＩＰ端末１”を記述する。この処理を外線からの着信ごとに行い、ＩＰネットワーク内のＶｏＩＰ端末の最新のアドレス情報をダイレクト接続着信番号変換テーブル１２２に取得する（Ｓ４８）。
【００６８】
ＶｏＩＰ‐ＧＷ１は、上述のようにしてＩＰネットワーク内の各ＶｏＩＰ端末のアドレス情報を取得するとともに、さらに、接続成功時間欄に成功時刻を記述する。また、接続成功時間欄の記述は、接続成功時刻からの経過時間、または接続成功時刻からの所定の時間が経過するまでの残り時間であってもよい。
さらに、接続成功時間欄は、新たな接続が成功すると接続成功時間を書き替え、常に新たなデータに更新する。接続成功からの時間が所定の時間を経過したデータには、無効としてテーブルの正しさを保障する。
【００６９】
接続成功時間を接続成功時刻からの経過時間とした場合の使用は、例えば、前回の接続からの経過時間（接続成功時間）が１ヶ月前などの場合、現状の通話路及び呼制御サーバの状態が良いとはいい難いので、経過時間が新しいものほど通話路及び呼制御サーバの状態が良いと判断する材料にするものである。
【００７０】
このようにして、ＩＰネットワーク内のアドレス情報を動的に記録保持することができる。呼制御サーバとの通信ができない場合、ＶｏＩＰ―ＧＷ装置内の閾値で設定した設定時間差分内に正常接続が行われた場合、静的登録と同様の扱いとして発信時のダイレクト接続データとして利用する。
【００７１】
本発明は、呼制御サーバとＶｏＩＰ端末装置が接続されたＩＰ網と、回線交換網とを接続するＶｏＩＰ−ＧＷ（Ｖｏｉｃｅ  Ｏｖｅｒ  ＩｎｔｅｒｎｅｔＰｒｏｔｏｃｏｌ  Ｇａｔｅ  Ｗａｙ）装置であって、前記呼制御サーバの健全性を判定する手段と、前記判定手段が呼制御サーバを健全と判定した場合、前記回線交換網からの着信呼を呼制御サーバ宛に送信し、前記判定手段が呼制御サーバを障害と判定した場合、前記回線交換網からの着信呼を該当するＶｏＩＰ端末宛に送信する手段と、前記呼制御サーバが障害の場合、前記ＶｏＩＰ端末に送信する際に、前記回線交換網からの着信番号を所定の番号に変換する手段と、前記ＶｏＩＰ端末から前記回線交換網への発信があった場合、当該発信元のＩＰアドレスに応じて、着信番号を所定の番号に変換する手段とを備えたことを特徴とするＶｏＩＰ‐ＧＷ装置である。
【００７２】
本発明は、上記ＶｏＩＰ‐ＧＷ装置において、接続先のアドレス情報を動的に記録保持するダイレクト接続着信番号変換テーブルを具備し、呼制御サーバとの接続不可時にＶｏＩＰ−ＧＷ１を着信先のＶｏＩＰ端末にダイレクトに着信を通知する。
【００７３】
本発明は、上記ＶｏＩＰ‐ＧＷ装置において、前記ダイレクト接続着信番号変換テーブルが、ダイヤルイン番号と、ＩＰネットワーク内のこのダイヤルイン番号に対応した内線番号およびＩＰアドレスを記述される。
【００７４】
本発明は、上記ＶｏＩＰ‐ＧＷ装置において、前記ダイレクト変換テーブルが、ダイヤルイン番号ごとの接続成功時間を記述している。
【００７５】
本発明は、上記ＶｏＩＰ‐ＧＷ装置において、非ＩＰネットワークからの着信時に、呼制御サーバを介したＶｏＩＰ端末への着信が成功した場合に当該ＶｏＩＰ端末からの応答に含まれるダイヤルイン番号と内線番号およびＩＰアドレスをダイレクト接続着信番号変換テーブルに記述する機能を有する。
【００７６】
本発明は、上記ＶｏＩＰ‐ＧＷ装置において、ＩＰネットワーク内のＶｏＩＰ端末からの外線への発信要求があり、かつ、前記呼制御サーバが健全であることを認識できないときに、ＶｏＩＰ端末からの発信先番号に付与された外線発信特番を削除する機能を具備する。
【図面の簡単な説明】
【００７７】
【図１】本発明にかかるＶｏＩＰ‐ＧＷ装置の内部構成を説明する機能ブロック図。
【図２】ＶｏＩＰ―ＧＷ装置内に設けられる呼制御サーバ経由での着信番号変換テーブルを説明する図。
【図３】ＶｏＩＰ―ＧＷ装置内に設けられる呼制御サーバを経由しないダイレクト接続での着信番号変換テーブルを説明する図。
【図４】ＶｏＩＰ―ＧＷ装置内に設けられる呼制御サーバ経由での発信先番号変換テーブルを説明する図。
【図５】ＶｏＩＰ―ＧＷ装置内に設けられる呼制御サーバを経由しないダイレクト接続での発信先番号変換テーブルを説明する図。
【図６】本発明にかかるＶｏＩＰ―ＧＷ装置を用いた場合のＰＳＴＮ網からの着信処理とＩＰネットワークからの外線発信処理の説明するチャート。
【図７】本発明におけるＰＳＴＮ網からの着信時の着信処理を説明するフローチャート。
【図８】本発明におけるＩＰネットワーク内からの外線発信時の発信処理を説明するフローチャート。
【図９】アドレス情報を動的に記録保持するダイレクト接続着信番号変換テーブルの作成・更新処理を説明するチャート。
【図１０】従来の呼制御サーバを使用したＶｏＩＰ−ＧＷのシステム構成と着信および発信処理を説明する図。
【図１１】従来の静的なアドレス情報にしたがって接続する方法を説明する図。
【符号の説明】
【００７８】
１：ＶｏＩＰ‐ＧＷ装置
１１：ＰＳＴＮ側呼制御部
１２：主制御部
１２１：サーバ接続着信番号変換テーブル
１２２：ダイレクト接続着信番号変換テーブル
１２３：呼制御サーバ健全性確認機能
１２４：ダイレクト接続発信先番号変換機能
１２５：ダイレクト接続着信番号変換テーブル作成・更新機能
１３：ＩＰ側呼制御部
１９：静的なアドレス情報
３：呼制御サーバ
３１：アドレス情報管理テーブル
５：ＶｏＩＰ端末
７：ＰＳＴＮ（公衆回線網：非ＩＰ通信ネットワーク）
【図１】
2008306375.tif 000003
【図２】
2008306375.tif 000004
【図３】
2008306375.tif 000005
【図４】
2008306375.tif 000006
【図５】
2008306375.tif 000007
【図６】
2008306375.tif 000008
【図７】
2008306375.tif 000009
【図８】
2008306375.tif 000010
【図９】
2008306375.tif 000011
【図１０】
2008306375.tif 000012
【図１１】
2008306375.tif 000013